(57)【要約】【課題】密封信頼性のある密封構造を形成できると共に、格別の器具を使用することなしに容易に開栓でき、タンパーエビデント性も有するキャップの提供【解決手段】頂板部１１と頂板部の周囲から下方に延びるスカート部１２とからなるキャップ本体１０と、スカート部１２の外周を覆うようにキャップ本体１０に一体的に設けられたバンド２０とからなるキャップ１において、スカート部１２内面に設けられた突起１３が容器口部３０に設けられた環状の突部３６と係合していると共に、スカート部１２にはバンド２０と接続される複数個のブリッジ１６が周方向に間隔をおいて設けられており、バンド２０の下部には容器口部に設けられた突条３２と係合するフラップ２１が設けられており、開栓時には、バンド２０を下方に押し下げてブリッジ１６を破断して、キャップ本体とバンドとを分離させ、分離後においてバンドは、フラップにより容器口部に留め置かれる。【選択図】  図５
2004256121.tif 000002
【特許請求の範囲】
【請求項１】
頂板部と該頂板部の周囲から下方に延びるスカート部とからなるキャップ本体と、該スカート部の外周を覆うように該キャップ本体に一体的に設けられたバンドとからなるキャップにおいて、
該スカート部内面に設けられた突起が容器口部に設けられた環状の突部と係合していると共に、該スカート部には該バンドと接続される複数個のブリッジが周方向に間隔をおいて設けられており、
該バンドの下部には容器口部に設けられた突条と係合するフラップが設けられており、
開栓時には、該バンドを下方に押し下げて該ブリッジを破断して、該キャップ本体と該バンドとを分離させ、分離後において該バンドは、該フラップにより容器口部に留め置かれることを特徴とするキャップ。
【請求項２】
前記スカート部下端部にはスカート指掛け部が設けられていることを特徴とする請求項１に記載のキャップ。
【請求項３】
前記容器口部に設けられた突条の下方にさらに第２の突条を設け、開栓後のバンドが容器口部に移動することを防止することを特徴とする請求項１又は２に記載のキャップ。
【請求項４】
前記スカート部と前記バンドとは前記ブリッジを除く位置で切断面を介して分離しているが、該スカート部と該バンドとは切断面の部分で密着していることを特徴とする請求項１〜３のいずれかに記載のキャップ。
【請求項５】
前記スカート部下部に軸線方向に切り欠き部を間隔をおいて周方向に複数個設けたことを特徴とする請求項１〜４のいずれかに記載のキャップ。
【発明の詳細な説明】
【０００１】
【発明の属する技術分野】
本発明は、密封信頼性と開栓性に優れたキャップに関し、詳しくは、信頼性のある密封を形成できると共に開栓するまでの動作が少なく、容易且つ確実に開栓することができ、タンパーエビデント性（ＴＥ）を兼ね備え、開栓時の内容物飛散をも防止したキャップに関する。
【０００２】
【従来の技術】
従来より、一体成形が可能な樹脂製キャップは、成形性に優れると共に、可撓性にも優れ、打栓操作により容器口部に固定することができることから、種々の形態で広く用いられている。
【０００３】
密封性に優れると共に、容器口部から道具を用いずに容易に取り外すことができるようにした開封性に優れた樹脂製キャップは、既に種々提案されており、例えば特許文献１には、キャップ本体スカート部とこのスカート部の外面を覆うように設けられているリング状側壁からなり、リング状側壁を上方に持ち上げることにより、キャップ本体とリング状側壁を連結する橋絡部が切断される。キャップ本体スカート部には弱化部が設けられているため、リング状側壁が上方に持ち上げられキャップ本体と接触しなくなると、キャップ本体は容易に容器口部から離脱可能となり、開封できるというものである。
【０００４】
また、特許文献２には、キャップ本体スカート部とこのスカート部の外面を覆うように設けられているリング状部材から成り、キャップ本体のスカート部には軸線方向に延びる複数個の切り欠きを周方向に間隔をおいて設け、キャップ本体のスカート部とリング状部材とを周状の切断面を介して分離すると共に、スカート部とリング状部材とを上記切断面よりも上側或いは下側の複数個の破断可能な橋絡部或いは更に連結部を介して一体に形成されており、キャップ本体スカート部外面とリング状部材内面とを前記切断面の部分で密着させ、及びリング状部材の一部には径外方向に突出した開封用タブを形成した樹脂製キャップが記載されている。従って、キャップ本体のスカート部に、軸線方向に延びる複数個の切り欠きを周方向に間隔をおいて設けたことにより、開栓に際してはスカート部が径外方向に広がり、これによりキャップ本体の容器口部からの取り外しが容易に行われるというものである。
【０００５】
【特許文献１】
特開平８−２４４８０２号公報
【特許文献２】
特開平９−２２１１５５号公報
【０００６】
【発明が解決しようとする課題】
上記従来の樹脂製キャップは、栓抜等の格別の道具を必要とせずに、手による開封を可能にし、且つ不正防止機能をも付与した樹脂製キャップを提供したものとして意義深いものではあるが、開封動作の点で問題があった。
即ち、特許文献１や特許文献２の樹脂製キャップは、リング状部材が栓体と一体に接続されているために、リシール後の使い易さの点で若干の問題もあった。
従って、本発明は、従来のキャップの開封動作を単純化させ、より簡易に開栓可能なキャップを提供することを目的とする。
さらに、本発明の他の目的は、容器口部が広く解放され、飲む者にとって飲みやすい容器用のキャップを提供し、しかもより優れたタンパーエビデント性を有するキャップを提供することである。
【０００７】
【課題を解決するための手段】
本発明のキャップは、頂板部と該頂板部の周囲から下方に延びるスカート部とからなるキャップ本体と、該スカート部の外周を覆うように該キャップ本体に一体的に設けられたバンドとからなるキャップにおいて、
該スカート部内面に設けられた突起が容器口部に設けられた環状の突部と係合していると共に、該スカート部には該バンドと接続される複数個のブリッジが周方向に間隔をおいて設けられており、該バンドの下部には容器口部に設けられた突条と係合するフラップが設けられており、開栓時には、該バンドを下方に押し下げて該ブリッジを破断して、該キャップ本体と該バンドとを分離させ、分離後において該バンドは、該フラップにより容器口部に留め置かれることを特徴とする。
このようなキャップにおいては、スカート部下端部にスカート指掛け部が設けられているものや、容器口部に設けられた突条の下方にさらに第２の突条を設け、開栓後のバンドが容器口部に移動することを防止するものが好ましい。
また、本発明のキャップは、スカート部とバンドとは、ブリッジを除く位置で切断面を介して分離しているが、スカート部とバンドとは切断面の部分で密着していることを特徴とし、スカート部下部に軸線方向に切り欠き部を間隔をおいて周方向に複数個設けられたものが好ましい。
【０００８】
【発明の実施の形態】
本発明のキャップの一実施形態を、図面を用いて詳細に説明する。
図１は、本発明のキャップの一実施形態を示す側面図である。図２は、図１の平面図である。図３は、図１の底面図である。図４は、図２のＡ−Ａ’断面図である。図５は、本発明のキャップを容器口部に取り付けた態様を示す側面図である。図６は、図５の縦断面図である。図７は、図５に示すキャップのバンドを押し下げた状態を示す側面図である。図８は、図７の縦断面図である。図９は、本発明のキャップを容器口部に取り付けた他の実施形態を示す側面図である。図１０は、図９の縦断面図である。図１１は、図９に示すキャップのバンドを押し下げた状態を示す側面図である。図１２は、図１１の縦断面図である。
【０００９】
図１〜図２に示すように、本実施形態のキャップ１は、キャップ本体１０と、バンド２０とから構成されており、キャップ本体１０は、頂板部１１と頂板部１１の周囲から下方に延びるスカート部１２とからなり、スカート部１２の外周を覆うようにキャップ本体１０に一体的に、連続したリング状の態様で覆うようにバンド２０が設けられている。
さらに、バンド２０の一部には径外方向に突出した開封用タブ２３が形成されており、キャップの開栓に際して、開封用タブ２３或いはバンド２０の上部に指を掛けてバンド２０を下方へ押し下げができるようになっている。
【００１０】
また、図３、図４に示すように、バンド２０で覆われたキャップ本体１０のスカート部１２には、キャップ本体１０とバンド２０とを接続する複数個のブリッジ１６，・・・が周方向に間隔をおいて設けられている。
【００１１】
ブリッジ１６，・・・は、切断面２２の下側に、キャップ本体のスカート部１２とバンド２０とを連結するように、複数個、破断可能なように設けられている。
ブリッジ１６，・・・は、キャップ本体１０とバンド２０とを一体的に作成した後に、キャップ１の上方（天板面側）から切断刃を作用させることにより切断面２２の刻設を行うが、この時、ブリッジ１６、・・・を残すように、切断面２２の刻設を途中で停止することで形成できる。
【００１２】
すなわち、キャップ本体スカート部１２とバンド２０との切断面２２を介しての密着状態及びブリッジ１６の形成は、両者を一体に射出又は圧縮成形した後、両者間にカッター等で切り込みを入れて、ブリッジ１６を除く部分を分離させることにより行うことができる。
このため、本発明のキャップは、通常のコアとキャビテイとから成る金型を用いて、能率よく短時間で製造でき、またキャップ各部の精度も高く、不良品の発生も少ないという利点を与える。
【００１３】
なお、スカート部１２には、軸線方向に延びる複数個の切り欠き１９、・・・が、周方向に間隔をおいて設けられており、スカート部１２の下部はスカート片１２ａ、・・・に分割されていることが、キャップの開栓を容易にする点で望ましいが、切り欠きやスカート片を形成せずに、連続した筒状のものであってもよい。
【００１４】
キャップ本体スカート部１２とバンド２０との間に設けられるブリッジ１６の数は、スカート片１２ａに少なくとも１個設けられている。また、ブリッジ１６を設ける位置も種々変化させることができる。例えば、スカート片１２ａの幅方向中間位置に１個設けたり、或いは、図３に示すように、スカート片１２ａの両端に２個設けたりすることができる。
要するに、閉栓時において、ブリッジ１６の破損が防止され且つ開栓時にその破断が容易に行われるものであればよく、その位置及び個数は特に制限を受けない。
また、ブリッジ１６の切断面２２方向の断面積は、特に規定するものではないが、閉栓時における破損防止、開栓時における破断容易性から、１個当たり０．１〜０．８ｍｍ２  、特に０．２〜０．４ｍｍ２  の範囲にあることが好ましい。
【００１５】
本発明のキャップ１において、スカート部１２に設けられる切り欠き１９の数は、キャップの口径等によっても相違するが、一般に切り欠き１９の個数は２乃至３０個の範囲となるものが好ましい。
【００１６】
また、天面部１７には、容器口部３０（図５参照）の内周側と係合するインナーリング１８が形成されており、容器口部３０をキャップ頂板部１１の内側天面部１７の内面に密接させ、密封せしめるようにされている。
【００１７】
次に、本発明のキャップ１を容器口部に取り付けた態様を、図５〜図８を用いて説明する。
閉栓時には、図５、図６に示すように、スカート部１２内面に設けられた突起１３は、容器口部３０に設けられた環状の突部３６と係合しており、
バンド２０の下部に設けられたフラップ２１が容器口部３０に設けられた突条３２と係合しており、バンド２０の上方への移動を防止している。
【００１８】
さらに、キャップ本体１０のスカート部１２とバンド２０とは、周状の切断面２２を介して分離されていると共に、スカート部１２とバンド２０とは、上記切断面２２よりも下側の複数個の破断可能な複数個のブリッジ１６を介して一体に形成されている。
スカート部１２の外面とバンド２０の内面とは、キャップ本体１０が容器口部３０に閉栓されている状態（図５）において、前記切断面２２の部分で相互に密着されている。
【００１９】
スカート部１２とバンド２０とが切断面２２の部分で密着されていることにより、閉栓状態でキャップ本体スカート部１２がバンド２０によりタガ締めされ、スカート部１２が外方に広がるのを防止し、容器口部３０に対する確実な密封性が維持される。
スカート部１２に軸方向に延びる切り欠き１９が設けられている本発明のキャップの場合、この切断面２２の部分での密着状態が重要である。即ち、スカート部１２の切り欠き１９は、容器口部３０外周の環状の突部３６とスカート部１２内面の突起１３との係合状態を弱めるように作用するが、これにバンド２０によるタガ締め力が作用することにより、係合状態を強固且つ確実のものとすることができるのである。
【００２０】
開栓時には、図７、図８に示すように、バンド２０の一部に径外方向に突出するように設けられた開封用タブ２３或いはバンド２０の上部に指を掛けてバンド２０を下方へ押し下げて、切断面２２で、バンド２０とスカート部１２との間でずれを生じさせて、キャップ本体１０とバンド２０を連結するブリッジ１６を剪断力により破断し、キャップ本体１０とバンド２０とを分離させる。
分離後においてバンド２０は、上下移動自由の状態になるが、バンド内面下部に設けられているフラップ２１が、容器口部３０に設けられた突条３２に突接することにより抜け落ちを防止し、容器口部下方に設けられた保持環３３との間でバンド２０を拘束し、容器口部３０に留め置くことができる。
【００２１】
開栓に際して、バンド２０が押し下げられると、バンド２０によるタガ締めが解除されて、スカート部内向き突起１３による保持力が弱くなり、また、スカート部１２には軸線方向に延びる複数個の切り欠き１９、・・・が設けられているため、スカート部１２の下端部に設けられたスカート指掛け部１２ｂに指を掛けて、キャップ本体１０を押し上げることにより、容器口部の外周に設けられた環状の突部３６とスカート部内向き突起１３との係合が解除されて、容器口部３０からの取り外しを容易に行うことができる。
なお、上記実施形態のキャップでは、スカート指掛け部１２ｂは、スカート部１２の下端部外周に切り欠き１９を設けることにより形成されているが、切り欠きの高さ、幅等の大きさは適宜選択することができる。また、切り欠きの設置個数や周方向間隔も、適宜決定される。
【００２２】
図７は、バンド２０を押し下げた状態を示している。なお、本発明では、切り欠き１９を設けることは、必ずしも必須ではない。スカート部１２下部を薄肉とすることにより、バンド２０がスカート部１２から取り外されると、スカート部下部の径外方向への広がりが自由になるからである。
【００２３】
また、開封が既に行われている場合には、ブリッジ１６、・・・が破断されており、バンド２０を自由に上下できるので、これにより既に開封されていることを知ることができ、これによりタンパーエビデント性が付与される。
【００２４】
図９〜図１１に示す別の実施形態のキャップでは、容器口部３０に設けられた突条３２の下方にさらに第２の突条３７を設け、開栓後のバンド２０が容器口部３０（上方）に移動することを防止するようにしている。このようにすることにより、容器から飲料を飲むときなどにバンド２０が口元に移動することを防げ飲みやすくなる。さらに、これによりタンパーエビデント性も向上させることができる。
【００２５】
さらに、開封用タブ２３は、図９に示すような１個だけを設けることに限らず、対称的な位置に、２個、３個、４個等、複数個設けることもできる。特に、容器口部の径が大きい広口容器の場合には、開封用タブ２３を複数個設けることによって開封が更に容易になる。
【００２６】
また、インナーリング１８内面側の天面部１７には、ガスバリアー性材料をインサート成形等により設けておくことができ、これによりキャップ壁を通してのガスの透過を防止し、内容物の保存性を向上させることができる。ガスバリアー性材料としては、アルミ箔等の金属箔、エチレン−ビニールアルコール共重合体、塩化ビニル樹脂、塩化ビニリデン樹脂、ナイロン樹脂、ガスバリアー性ポリエステル等のガスバリアー性樹脂を挙げることができる。
【００２７】
ガスバリアー性材料の代わりに、或いはガスバリアー性材料と共に、上記天面部１７に酸素吸収性の層を設けることもできる。酸素吸収性の層としては、例えば、亜硫酸ナトリウム、アスコルビン酸、トコフェノールと電子供与物質等を樹脂中に分散させたものなどを用いることができる。
【００２８】
キャップ１の成形に用いる樹脂としては、各種プラスチック、例えば、低−、中−又は高−密度ポリエチレン、線状低密度ポリエチレン、ポリプロピレン、熱可塑性ポリエステル、ポリアミド、スチレン系樹脂、ＡＢＳ樹脂等が挙げられる。
【００２９】
なお、本発明のキャップは、上記樹脂を用い、通常、射出成形、圧縮成形等によりキャップ本体１０及びバンド２０を一体化させた状態で成形し、
切断面２２は、通常、この成形工程の後に、上方から円形状の刃物を押し込んでカッティング加工を施すことにより形成されるが、スカート部１２に設ける切り欠き１９の成形は、射出成形、圧縮成形等によりキャップ本体１０を成形する時に形成してもよく、キャップ本体１０の成形後にカッティング加工を施すことによって形成してもよい。
【００３０】
本発明のキャップは以上のように構成されているので、以下の顕著な効果を奏する。
キャップ本体１０のスカート部１２に、軸線方向に延びる複数個の切り欠き１９を周方向に間隔をおいて設けたことにより、開栓に際してはスカート部１２が径外方向に広がり、これによりキャップ本体１０の容器口部３０からの取り外しを容易に行うことができる。
【００３１】
本発明では、キャップ本体１０のスカート部１２とバンド２０とは周状の切断面２２を介して分離しているが、これらをブリッジ１６、・・・を介して一体に形成されているので、キャップ本体スカート部１２外面とバンド２０内面とは切断面２２の部分で密着され、少なくとも閉栓状態でキャップ本体スカート部１２がバンド２０によりタガ締め状態となっているので、スカート部１２が外方に広がることを防止し、容器口部３０に対する確実な密封性が維持される。
これは、スカート部１２に軸方向に延びる切り欠き１９を設けたキャップの場合、特に重要である。即ち、スカート部１２の切り欠き１９は、容器口部３０とスカート部１２の突起１３との係合状態を弱めるように作用するが、これにバンド２０によるタガ締め力が作用することにより、係合状態を強固且つ確実のものとできる。
【００３２】
バンド２０の一部には径外方向に突出した開封用タブ２３を形成したので、これを押し下げることにより、切断面２２で、バンド２０とスカート部１２との間でずれを生じ、キャップ本体１０とバンド２０を連結するブリッジ１６，・・・が剪断力により破断されるが、スカート部１２に切り欠き１９を設けた場合、バンド２０がこのスカート部１２から取り外されると、スカート部１２の径外方向への広がりが自由となり、キャップ本体１０は容易に容器口部３０から離脱可能となり、道具を用いずに容易に開封することができる。
【００３３】
また、開封が既に行われている場合には、ブリッジ１６が破断されており、バンド２０が押し下げられているので、これにより既に開封されていることを知ることができ、これによりタンパーエビデント性を有する。
【００３４】
また、本発明では、スカート部１２とバンド２０とは、これらを一体に射出又は圧縮成形した後、両者間にカッター等で切り込みを入れて、ブリッジ１６を除く部分を分離させることにより形成されるため、通常のコアとキャビテイとから成る金型を用いることにより製造でき、成形操作も容易である。
【００３５】
【発明の効果】
本発明のキャップは、閉栓状態においては、バンドがキャップ本体スカート部を保護すると共に、スカート部外面と密着して密封性を保持でき、密封信頼性のある密封構造を形成できる。
さらに、格別の器具を使用することなしにバンドを押し下げることにより、スカート部が容器口部から解放され、開栓が容易であると共にタンパーエビデント性も有する。。
【図面の簡単な説明】
【図１】本発明のキャップの一実施形態を示す側面図である。
【図２】図１の平面図である。
【図３】図１の底面図である。
【図４】図１のＡ−Ａ’断面図である
【図５】本発明のキャップを容器口部に取り付けた態様を示す側面図である。
【図６】図５の縦断面図である。
【図７】図５に示すキャップのバンドを押し下げた状態を示す側面図である。
【図８】図７の縦断面図である。
【図９】本発明のキャップを容器口部に取り付けた他の実施形態を示す側面図である。
【図１０】図９の縦断面図である。
【図１１】図９に示すキャップのバンドを押し下げた状態を示す側面図である。
【図１２】図１１の縦断面図である。
【符号の説明】
１：キャップ
１０：キャップ本体
１１：頂板部
１２：スカート部
１２ａ：スカート片
１２ｂ：指掛け部
１３：突起
１６：ブリッジ
１７：天面部
１８：インナーリング
１９：切り欠き部
２０：バンド
２１：フラップ
２２：切断面
２３：開封用タブ
３０：容器口部
３２：突条
３３：保持環
３６：環状の突部
３７：第２の突条
【図１】
2004256121.tif 000003
【図２】
2004256121.tif 000004
【図３】
2004256121.tif 000005
【図４】
2004256121.tif 000006
【図５】
2004256121.tif 000007
【図６】
2004256121.tif 000008
【図７】
2004256121.tif 000009
【図８】
2004256121.tif 000010
【図９】
2004256121.tif 000011
【図１０】
2004256121.tif 000012
【図１１】
2004256121.tif 000013
【図１２】
2004256121.tif 000014